(57)【要約】【課題】ライブ会場などの映像・音声出力部で収録した音質の優れたハイレゾ音声信号を映像信号に合成して配信し、ユーザーがリアルタイムで再生することのできるストリーミングデータの配信装置とその方法を提供すること。【解決手段】ライブ会場６０などで撮像した映像信号をＨＤＴＶ信号に変換して出力する映像信号入力部６１と、前記ライブ会場６０で収録した音声信号をハイレゾ音声信号に変換する音声信号入力部６２と、入力したハイレゾの音声信号を映像信号に重畳するエンベッター６３と、このエンベッター６３に接続されロスレス圧縮して符号化するエンコーダー６４と、このエンコーダー６４のデータをストリーミングデータに変換するパッケージャー３０と、このパッケージャー３０から各配信サーバー６５とインターネット６７を介して接続される再生装置５２とからなり、前記再生装置は、課金によって視聴可能なシステムとする。【選択図】図１
2019201302.tif 000002
【特許請求の範囲】
【請求項１】
映像・音声出力部で撮像した映像信号をＨＤＴＶ信号に変換して出力する映像信号入力部と、
前記映像・音声出力部で収録した音声信号をハイレゾ音声信号に変換する音声信号入力部と、
前記映像信号入力部と音声信号入力部に接続され、ハイレゾの音声信号を映像信号に重畳するエンベッターと、
このエンベッターに接続されロスレス圧縮して符号化するエンコーダーと、
このエンコーダーのデータをストリーミングデータに変換するパッケージャーと、
このパッケージャーから各配信サーバーとインターネットを介して接続される記録不可能な再生装置とからなり、
前記再生装置は、課金によって視聴可能なシステムとするため、インターネットに接続されたチケット発行と認証のためのチケット発行・認証サーバーに結合可能であることを特徴とするストリーミングデータの配信装置。
【請求項２】
エンコーダーは、ハイレゾの音声信号と映像信号にメタデータ、同期時刻情報等を加えてコンテナというフォーマットで包みこみ、ロスレス圧縮して符号化するＭＰＥＧ−４ＡＬＳからなり、
パッケージャーは、エンコーダーで圧縮されたデータをストリーミングデータに変換するＭＰＥＧ−ＤＡＳＨからなる
ことを特徴とする請求項１記載のストリーミングデータの配信装置。
【請求項３】
再生装置は、パッケージャーから映像データとハイレゾ化した音声データを多重化したストリーミングデータを取り込み復号化するコントローラーと、このコントローラーから出力されたハイレゾ化した音声を再生可能な音声出力部と、前記コントローラーから出力された映像を表示する映像表示部と、前記パッケージャーから取り込まれた音源データのフォーマットを表示する音源データ表示部と、前記再生装置の持つフォーマットを表示する音声再生データ表示部と、前記コントローラーから出力された映像のフォーマットを表示する映像データ表示部とを具備していることを特徴とする請求項１又は２記載のストリーミングデータの配信装置。
【請求項４】
音源データ表示部は、ファイル名表示部と第１の数値表示部と第１の棒グラフ表示部とを具備し、音声再生データ表示部は、音声再生機種名表示部と第２の数値表示部と第２の棒グラフ表示部を具備し、映像データ表示部は、映像ファイル名表示部と総画素数表示部を具備していることを特徴とする請求項１又は２記載のストリーミングデータの配信装置。
【請求項５】
コントローラーは、パッケージャーからのＭＰＥＧ−ＤＡＳＨで変換されているストリーミングデータを、可逆圧縮化ツールであるＭＰＥＧ−４ＡＬＳでデコードし、復号化する機能を具備していることを特徴とする請求項１又は２記載のストリーミングデータの配信装置。
【請求項６】
映像・音声出力部で撮像した映像信号を映像信号入力部でＨＤＴＶ信号に変換して出力する工程と、
前記映像・音声出力部で収録した音声信号を音声信号入力部でハイレゾ音声信号に変換する工程と、
前記工程で変換したハイレゾの音声信号を前記工程でＨＤＴＶ信号に変換した映像信号にエンベッターで重畳する工程と、
前記工程で重畳されたハイレゾの音声信号と映像信号をＭＰＥＧ−４ＡＬＳからなるエンコーダーでロスレス圧縮して符号化する工程と、
前記工程で圧縮されたデータをＭＰＥＧ−ＤＡＳＨからなるパッケージャーでストリーミングデータに変換する工程と、
前記工程で前記パッケージャーから各配信サーバーに送られ、インターネットを介してエンドユーザーの記録不可能な再生装置にて受信したストリーミングデータを、可逆圧縮化ツールであるＭＰＥＧ−４ＡＬＳからなるデコーダーで歪なく復号化する工程と、
前記再生装置を、課金によって視聴可能なシステムとするため、インターネットに接続されたチケット発行と認証のためのチケット発行・認証サーバーに結合する工程と
からなることを特徴とするストリーミングデータの配信方法。
【発明の詳細な説明】
【技術分野】
【０００１】
本発明は、ライブ会場などの映像・音声出力部から入力した映像とハイレゾの音声のテータをダウンロードすることなくリアルタイムで課金により再生するストリーミングデータの配信装置及びその方法に関するものである。
【背景技術】
【０００２】
本出願人は、音声携帯機器本体に外部から読み込み記憶されている音源の周波数帯域と、この音声携帯機器本体で再生する周波数帯域とを比較表示できるようにした音声携帯機器の表示装置を提供した（特許文献１）。
この特許文献１に記載の音声携帯機器の表示装置は、図６に示すように、外部の複数の音源データを読み込み記憶する音源ファイル１８と、この音源ファイル１８の音源データを再生する再生ユニット１４と、再生機種のデータを記憶する機器データメモリ１６と、前記音源データの読み込みと出力、前記機種データの読み込みと出力を制御するコントローラ１５と、前記音源ファイル１８の音源データのサンプリングレートを出力するサンプリングレート出力２１と、前記コントローラ１５から再生ユニット１４への再生出力に基いて再生サンプリングレートを出力する再生サンプリングレート出力２３と、前記サンプリングレート出力２１のサンプリングレートを表示する音源出力表示部１２と、前記再生サンプリングレート出力２３のサンプリングレートを表示する再生出力表示部１３とを具備し、前記音源データのサンプリングレート出力２１に加え、選択された前記音源データのファイルデータを出力するファイル形式出力２０を設け、前記再生サンプリングレート出力２３に加え、選択された前記機種データを出力する機種データ出力２２を設け、前記音源出力表示部１２は、前記ファイル形式出力２０から出力された音源データのファイル形式名を表示するファイル名表示部２４と、前記サンプリングレート出力２１から出力された音源データのサンプリングレートを、数値によりディジタル表示する数値表示部２５と棒線グラフによりアナログ表示する棒グラフ表示部２６を有し、前記再生出力表示部１３は、前記機種データ出力２２から出力された機種データ名を表示する再生機種名表示部２７と、前記再生サンプリングレート出力２３から出力された機種データのサンプリングレートを、数値によりディジタル表示する数値表示部２８と棒線グラフによりアナログ表示する棒グラフ表示部２９を有し、前記音源出力表示部１２を構成する前記ファイル名表示部２４、前記数値表示部２５、前記棒グラフ表示部２６と、前記再生出力表示部１３を構成する前記再生機種名表示部２７、前記数値表示部２８、前記棒グラフ表示部２９とを比較表示のためそれぞれ上下に対応して配置したものである。
【０００３】
特許文献２には、番組データを受信部でストリーミング受信することが記載されている。
これによれば、受信部２０８は、サーバ１００から番組データを受信すると、所定の復号単位サイズが溜まるまで第１バッファ２５０に格納する。復号部２２２は、第１バッファに格納された番組データを所定の復号単位サイズで復号し、第２バッファ２５２に格納する。
同期信号調整部４００は、復号部２２２が複合したＭｐｅｇ２のＴＳパケットを解析した後、ストリーム供給部２５６に出力する。ストリーム供給部２５６は、同期信号調整部４００から取得したパケットを第３バッファ２５４に格納する。第３バッファ２５４に格納されたパケットが所定量以上になると、ストリーム供給部２５６は、パケット分離部２２４に出力する。
分離部２２４は、ストリーム供給部２５６から取得した番組データのパケットから、映像信号、音声信号、および再生タイミング信号を分離する。分離部２２４は、番組データのパケットから分離した映像信号と音声信号とを、それぞれ映像バッファ２５８と音声バッファ２６０とに格納する。映像デコーダ２６２は、映像バッファ２５８に格納された映像信号をデコードして第４バッファ２６６に格納する。同様に、音声デコーダ２６４は、音声バッファ２６０に格納された音声データをデコードして第４バッファ２６６に格納する。
と記載されている。
【先行技術文献】
【特許文献】
【０００４】
【特許文献１】実用新案登録第３１９６３３５号公報
【特許文献２】特開２０１３−２２３０９１号公報
【発明の概要】
【発明が解決しようとする課題】
【０００５】
特許文献１に示した装置では、音声の再生はできるが、リアルタイムで同時に映像の再生をすることはできないという問題があった。
【０００６】
特許文献２記載の発明は、所定の復号単位サイズが溜まるまでダウンロードしてから見たり聴いたりすることになるので、全てのデータを溜めると、メモリの容量不足で見たり聴いたりすることができなくなる恐れがある。
また、復号処理をするために、第１バッファ２５０、第２バッファ２５２、第３バッファ２５４、第４バッファ２６６へと順次格納することが必要で、複数のメモリを必要とし、その工程も複雑になる。
という問題があった。
【０００７】
これに対し、音声信号と映像信号のファイルをユーザーが受け取りながらリアルタイムで再生する技術が発表されている。
しかし、従来は、映像信号にハイレゾ（４４．１ｋＨｚ，１６ｂｉｔ又は４８ｋＨｚ，１６ｂｉｔ超え）の音声信号を合成して配送することができなかったため、ライブ会場の音声と同等の音質を再生することができなかった。
また、ハイレゾ音声信号と映像信号をリアルタイムで再生する場合、課金によって視聴可能なシステムが望まれていた。
【０００８】
本発明の目的は、ハイレゾ音声信号と映像信号のファイルをユーザーが受け取りながらリアルタイムで再生するストリーミング方式において、音質の優れたハイレゾの音声信号を合成して配信し、かつ、課金によって視聴可能なシステムを提供することである。
【課題を解決するための手段】
【０００９】
本発明のストリーミングデータの配信装置は、
ライブ会場などの映像・音声出力部６０で撮像した映像信号をＨＤＴＶ信号に変換して出力する映像信号入力部６１と、
前記映像・音声出力部６０で収録した音声信号をハイレゾ音声信号に変換する音声信号入力部６２と、
前記映像信号入力部６１と音声信号入力部６２に接続され、ハイレゾの音声信号を映像信号に重畳するエンベッター６３と、
このエンベッター６３に接続されロスレス圧縮して符号化するエンコーダー６４と、
このエンコーダー６４のデータをストリーミングデータに変換するパッケージャー３０と、
このパッケージャー３０から各配信サーバー６５とインターネット６７を介して接続される記録不可能な再生装置５２とからなり、
前記再生装置５２は、課金によって視聴可能なシステムとするため、インターネット６７に接続されたチケット発行と認証のためのチケット発行・認証サーバー６６に結合可能であることを特徴とする。
【００１０】
前記エンコーダー６４は、ハイレゾの音声信号と映像信号にメタデータ、同期時刻情報等を加えてコンテナというフォーマットで包みこみ、ロスレス圧縮して符号化するＭＰＥＧ−４ＡＬＳからなり、
前記パッケージャー３０は、エンコーダー６４で圧縮されたデータをストリーミングデータに変換するＭＰＥＧ−ＤＡＳＨからなる
ことを特徴とする。
【００１１】
前記再生装置５２は、パッケージャー３０から映像データとハイレゾ化した音声データを多重化したストリーミングデータを取り込み復号化するコントローラー３１と、このコントローラー３１から出力されたハイレゾ化した音声を再生可能な音声出力部３４と、前記コントローラー３１から出力された映像を表示する映像表示部３５と、前記パッケージャー３０から取り込まれた音源データのフォーマットを表示する音源データ表示部４９と、前記再生装置５２の持つフォーマットを表示する音声再生データ表示部５０と、前記コントローラー３１から出力された映像のフォーマットを表示する映像データ表示部５１とを具備していることを特徴とする。
【００１２】
前記音源データ表示部４９は、ファイル名表示部４１と第１の数値表示部４２と第１の棒グラフ表示部４３とを具備し、音声再生データ表示部５０は、音声再生機種名表示部４４と第２の数値表示部４５と第２の棒グラフ表示部４６を具備し、映像データ表示部５１は、映像ファイル名表示部４７と総画素数表示部４８を具備していることを特徴とする。
【００１３】
前記コントローラー３１は、パッケージャー３０からのＭＰＥＧ−ＤＡＳＨで変換されているストリーミングデータを、可逆圧縮化ツールであるＭＰＥＧ−４ＡＬＳでデコードし、復号化する機能を具備していることを特徴とする。
【００１４】
本発明のストリーミングデータの配信方法は、
ライブ会場などの映像・音声出力部６０で撮像した映像信号を映像信号入力部６１でＨＤＴＶ信号に変換して出力する工程と、
前記映像・音声出力部６０で収録した音声信号を音声信号入力部６２でハイレゾ音声信号に変換する工程と、
前記工程で変換したハイレゾの音声信号を前記工程でＨＤＴＶ信号に変換した映像信号にエンベッター６３で重畳する工程と、
前記工程で重畳されたハイレゾの音声信号と映像信号をＭＰＥＧ−４ＡＬＳからなるエンコーダー６４でロスレス圧縮して符号化する工程と、
前記工程で圧縮されたデータをＭＰＥＧ−ＤＡＳＨからなるパッケージャー３０でストリーミングデータに変換する工程と、
前記工程で前記パッケージャー３０から各配信サーバー６５に送られ、インターネット６７を介してエンドユーザーの再生装置５２にて受信したストリーミングデータを、可逆圧縮化ツールであるＭＰＥＧ−４ＡＬＳからなるデコーダーで歪なく復号化する工程と、
前記再生装置５２を、課金によって視聴可能なシステムとするため、インターネット６７に接続されたチケット発行と認証のためのチケット発行・認証サーバー６６に結合する工程と
からなることを特徴とする。
【発明の効果】
【００１５】
請求項１記載の発明によれば、
映像・音声出力部で撮像した映像信号をＨＤＴＶ信号に変換して出力する映像信号入力部と、
前記映像・音声出力部で収録した音声信号をハイレゾ音声信号に変換する音声信号入力部と、
前記映像信号入力部と音声信号入力部に接続され、ハイレゾの音声信号を映像信号に重畳するエンベッターと、
このエンベッターに接続されロスレス圧縮して符号化するエンコーダーと、
このエンコーダーのデータをストリーミングデータに変換するパッケージャーと、
このパッケージャーから各配信サーバーとインターネットを介して接続される記録不可能な再生装置とからなり、
前記再生装置は、課金によって視聴可能なシステムとするため、インターネットに接続されたチケット発行と認証のためのチケット発行・認証サーバーに結合可能であるので、ハイレゾ音声信号と映像信号のファイルをユーザーが受け取りながらリアルタイムで再生するストリーミング方式において、これまでなかった音質の優れたハイレゾの音声信号を合成して配信することができる。また、課金によって視聴可能なシステムを提供することができる。課金とすることにより、ストリーミングによりユーザーに送ったアーチストの原音、すなわち、マスターサウンドが確実に保護されるとともに、アーチストは、チケット代として報酬を確実に受けられる。
【００１６】
請求項２記載の発明によれば、
エンコーダーは、ハイレゾの音声信号と映像信号にメタデータ、同期時刻情報等を加えてコンテナというフォーマットで包みこみ、ロスレス圧縮して符号化するＭＰＥＧ−４ＡＬＳからなり、
パッケージャーは、エンコーダーで圧縮されたデータをストリーミングデータに変換するＭＰＥＧ−ＤＡＳＨからなるので、ハイレゾの音声信号を含むストリーミングデータをロスレス圧縮して符号化し、この圧縮されたデータをストリーミングデータに変換する再生装置を提供できる。
【００１７】
請求項３記載の発明によれば、
再生装置は、パッケージャーから映像データとハイレゾ化した音声データを多重化したストリーミングデータを取り込み復号化するコントローラーと、このコントローラーから出力されたハイレゾ化した音声を再生可能な音声出力部と、前記コントローラーから出力された映像を表示する映像表示部と、前記パッケージャーから取り込まれた音源データのフォーマットを表示する音源データ表示部と、前記再生装置の持つフォーマットを表示する音声再生データ表示部と、前記コントローラーから出力された映像のフォーマットを表示する映像データ表示部とを具備しているので、ハイレゾ音源を、しかもライブストリーミングが可能となり、これまでにない全く新しい音楽の聴き方を体験することが可能となる。ライブ会場などの映像・音声出力部で演奏される迫力ある音楽を動画とともにリアルタイムでライブストリーミング配信することにより、会場に行くことがかなわない場合でも臨場感ある高音質のライブ演奏を別の場所で原音のまま楽しむことができる。
【００１８】
請求項４記載の発明によれば、
音源データ表示部は、ファイル名表示部と第１の数値表示部と第１の棒グラフ表示部とを具備し、音声再生データ表示部は、音声再生機種名表示部と第２の数値表示部と第２の棒グラフ表示部を具備し、映像データ表示部は、映像ファイル名表示部と総画素数表示部を具備しているので、ストリーミングサーバーから取り込まれている音声データが１９２ｋＨｚであるにもかかわらず、再生は、９６ｋＨｚで再生されていることが一見して区別できる。このことは、取り込まれた音声データを使用中の再生装置では十分に再生されていないことが一見して理解できる。
また、音源データ表示部と音声再生データ表示部の表示が一致していれば、この再生装置は、音声データを十分生かして再生していることが理解できる。
さらに、映像データ表示部の総画素数表示部で総画素数が表示され、高画質の映像であることを確認できる。
【００１９】
請求項５記載の発明によれば、
コントローラーは、パッケージャーからのＭＰＥＧ−ＤＡＳＨで変換されているストリーミングデータを、可逆圧縮化ツールであるＭＰＥＧ−４ＡＬＳでデコードし、復号化する機能を具備しているので、再生装置は、タブレット端末、スマートホンなどの携帯用機器のみならず、パソコンその他の携帯用以外の機器にも採用できる。
【００２０】
請求項６記載の発明によれば、
映像・音声出力部で撮像した映像信号を映像信号入力部でＨＤＴＶ信号に変換して出力する工程と、
前記映像・音声出力部で収録した音声信号を音声信号入力部でハイレゾ音声信号に変換する工程と、
前記工程で変換したハイレゾの音声信号を前記工程でＨＤＴＶ信号に変換した映像信号にエンベッターで重畳する工程と、
前記工程で重畳されたハイレゾの音声信号と映像信号をＭＰＥＧ−４ＡＬＳからなるエンコーダーでロスレス圧縮して符号化する工程と、
前記工程で圧縮されたデータをＭＰＥＧ−ＤＡＳＨからなるパッケージャーでストリーミングデータに変換する工程と、
前記工程で前記パッケージャーから各配信サーバーに送られ、インターネットを介してエンドユーザーの記録不可能な再生装置にて受信したストリーミングデータを、可逆圧縮化ツールであるＭＰＥＧ−４ＡＬＳからなるデコーダーで歪なく復号化する工程と、
前記再生装置を、課金によって視聴可能なシステムとするため、インターネットに接続されたチケット発行と認証のためのチケット発行・認証サーバーに結合する工程と
からなることを特徴とするストリーミングデータの再生方法としたので、ハイレゾ音声信号と映像信号のファイルをユーザーが受け取りながらリアルタイムで再生するストリーミングデータの配信方法を提供することができる。また、課金によって視聴可能なシステムを提供することができる。課金とすることにより、ストリーミングによりユーザーに送ったアーチストの原音、すなわち、マスターサウンドが確実に保護されるとともに、アーチストは、チケット代として報酬を確実に受けられる。
【図面の簡単な説明】
【００２１】
【図１】本発明によるストリーミングデータの配信装置及びその方の実施例１を示すブロック図である。
【図２】本発明による再生装置の実施例を示すブロック図である。
【図３】本発明による課金による購入フローチャートと再生フローチャートである。
【図４】本発明による再生装置の実施例を示す正面図である。
【図５】本発明による再生装置の動作を示すフローチャートである。
【図６】従来の音声携帯機器の表示装置を示すブロック図である。
【発明を実施するための形態】
【００２２】
本発明は、基本的には、
ライブ会場などの映像・音声出力部６０で撮像した映像信号をＨＤＴＶ信号に変換して出力する映像信号入力部６１と、
前記映像・音声出力部６０で収録した音声信号をハイレゾ音声信号に変換する音声信号入力部６２と、
前記映像信号入力部６１と音声信号入力部６２に接続され、ハイレゾの音声信号を映像信号に重畳するエンベッター６３と、
このエンベッター６３に接続されロスレス圧縮して符号化するエンコーダー６４と、
このエンコーダー６４のデータをストリーミングデータに変換するパッケージャー３０と、
このパッケージャー３０から各配信サーバー６５とインターネット６７を介して接続される記録不可能な再生装置５２とからなり、
前記再生装置は、課金によって視聴可能なシステムとするため、インターネットに接続されたチケット発行と認証のためのチケット発行・認証サーバーに結合可能であることを特徴とする。
【００２３】
より具体的には、エンコーダー６４は、ハイレゾの音声信号と映像信号にメタデータ、同期時刻情報等を加えてコンテナというフォーマットで包みこみ、ロスレス圧縮して符号化するＭＰＥＧ−４ＡＬＳからなり、
パッケージャー３０は、エンコーダー６４で圧縮されたデータをストリーミングデータに変換するＭＰＥＧ−ＤＡＳＨからなる。
【００２４】
エンドユーザーがストリーミングデータを再生する再生装置５２は、パッケージャー３０から映像データとハイレゾ化した音声データを多重化したストリーミングデータを取り込み復号化するコントローラー３１と、このコントローラー３１から出力されたハイレゾ化した音声を再生可能な音声出力部３４と、前記コントローラー３１から出力された映像を表示する映像表示部３５と、前記パッケージャー３０から取り込まれた音源データのフォーマットを表示する音源データ表示部４９と、前記再生装置５２の持つフォーマットを表示する音声再生データ表示部５０と、前記コントローラー３１から出力された映像のフォーマットを表示する映像データ表示部５１とを具備している。
【００２５】
また、音源データ表示部４９は、ファイル名表示部４１と第１の数値表示部４２と第１の棒グラフ表示部４３とを具備し、音声再生データ表示部５０は、音声再生機種名表示部４４と第２の数値表示部４５と第２の棒グラフ表示部４６を具備し、映像データ表示部５１は、映像ファイル名表示部４７と総画素数表示部４８を具備している。
【００２６】
コントローラー３１は、パッケージャー３０からのＭＰＥＧ−ＤＡＳＨで変換されているストリーミングデータを、可逆圧縮化ツールであるＭＰＥＧ−４ＡＬＳでデコードし、復号化する機能を具備している。
【００２７】
本発明のストリーミングデータの配信方法は、
ライブ会場などの映像・音声出力部６０で撮像した映像信号を映像信号入力部６１でＨＤＴＶ信号に変換して出力する工程と、
前記映像・音声出力部６０で収録した音声信号を音声信号入力部６２でハイレゾ音声信号に変換する工程と、
前記工程で変換したハイレゾの音声信号を前記工程でＨＤＴＶ信号に変換した映像信号にエンベッター６３で重畳する工程と、
前記工程で重畳されたハイレゾの音声信号と映像信号をＭＰＥＧ−４ＡＬＳからなるエンコーダー６４でロスレス圧縮して符号化する工程と、
前記工程で圧縮されたデータをＭＰＥＧ−ＤＡＳＨからなるパッケージャー３０でストリーミングデータに変換する工程と、
前記工程で前記パッケージャー３０から各配信サーバー６５に送られ、インターネット６７を介してエンドユーザーの再生装置５２にて受信したストリーミングデータを、可逆圧縮化ツールであるＭＰＥＧ−４ＡＬＳからなるデコーダーで歪なく復号化する工程と、
前記再生装置を、課金によって視聴可能なシステムとするため、インターネットに接続されたチケット発行と認証のためのチケット発行・認証サーバーに結合する工程と
からなる。
【実施例１】
【００２８】
本発明によるストリーミングデータの配信装置及びその方法の実施例１を図面に基づき説明する。
図１において、６０は、映像・音声出力部で、この映像・音声出力部６０は、演奏会場、ライブ会場、スポーツ実況会場、鉄道の音、野鳥の音などの自然界など、映像と音声を、臨場感をもってライブで出力するあらゆる場所を含む。この映像・音声出力部６０には、撮像した映像信号を例えば、２Ｋ（１９２０×１０８０画素）などのＨＤＴＶ信号（静止画又は動画）に変換して出力する映像信号入力部６１と、前記ライブ会場などの映像・音声出力部６０で収録した音声信号を、例えば、２４ｂｉｔ／９６kＨｚのハイレゾ音声信号に変換する音声信号入力部６２が設置されている。ハイレゾ音声信号は、サンプリング周波数及び量子化ビット数がＣＤ−ＤＡスペック（４４．１ｋＨｚ／１６ｂｉｔ）又はＤＡＴスペック（４８．０ｋＨｚ／１６ｂｉｔ）を超えているものをいう。
また，映像信号は、２Ｋ以外に、４Ｋ，８Ｋなどであってもよい。
【００２９】
前記映像信号入力部６１と音声信号入力部６２は、合成回路としてのエンベッター６３に接続され、ハイレゾの音声信号を映像信号に重畳する。このエンベッター６３は、エンコーダー６４に接続される。このエンコーダー６４は、国際標準のロスレス符号化方式ＭＰＥＧ−４ＡＬＳ（Ａｕｄｉｏ  Ｌｏｓｓｌｅｓｓ  Ｃｏｄｉｎｇ）からなり、ハイレゾ音声に対応しており、ハイレゾの音声信号と映像信号にメタデータ、同期時刻情報等を加えてコンテナというフォーマットで包みこみ、ロスレス圧縮して符号化する。このエンコーダー６４は、ストリーミングサーバーとしてのパッケージャー３０に接続される。このパッケージャー３０は、国際標準のＭＰＥＧ−ＤＡＳＨからなり、前記エンコーダー６４で圧縮されたデータがストリーミングデータに変換される。
このパッケージャー３０から各配信サーバー６５に送られ、インターネット６７を介してエンドユーザーの再生装置５２にて受信される。
【００３０】
前記再生装置５２には、図２に示すように、映像表示部３５とタッチパネル操作部３６が切り替え表示されるように設けられ、また、イヤホンなどの音声出力部３４が接続されている。前記映像表示部３５には、音源データ表示部４９と音声再生データ表示部５０と映像データ表示部５１が設けられている。
【００３１】
また、前記再生装置５２には、コントローラー３１が設けられている。このコントローラー３１は、可逆圧縮化ツールである前記ＭＰＥＧ−４ＡＬＳからなるデコーダーとして機能し、前記エンコーダー６４で圧縮されたハイレゾの音声信号と映像信号のサンプリングされたストリーミングデータを歪なく復号化する。
コントローラー３１には、図４に示すように、イヤホン、スピーカーなどからなる音声出力部３４と，映像（動画又は静止画）を表示する映像表示部３５と、映像のフォーマットを抽出する映像フォーマット抽出部３２と、前記再生装置５２の持つ機種データを記憶している音声機器データメモリ３３と、タッチパネル、スイッチなどのタッチパネル操作部３６が接続されている。
【００３２】
前記コントローラー３１には、また、パッケージヤー３０から入力した音声ファイル形式名を出力する音声ファイル形式出力部３７と、パッケージヤー３０から入力した音声ファイルのサンプリングレートを解析し出力するサンプリングレート出力部３８が接続され、これらの音声ファイル形式出力部３７とサンプリングレート出力部３８は、前記音源データ表示部４９のファイル名表示部４１と第１の数値表示部４２と第１の棒グラフ表示部４３に接続されている。
【００３３】
前記コントローラー３１の前記音声出力部３４への出力側には、音声機器データメモリ３３から取り込んだ機種データを出力する機器データ出力部３９と、現在使用している再生装置５２の再生サンプリングを解析して出力する再生サンプリング出力部４０が接続され、これらは、前記音声再生データ表示部５０の音声再生機種名表示部４４と第２の数値表示部４５と第２の棒グラフ表示部４６に接続されている。
【００３４】
前記再生装置５２には、タッチパネル操作部３６を備えており、このタッチパネル操作部３６の操作により、前記インターネット６７に接続されたチケット発行と認証のためのチケット発行・認証サーバー６６に接続する。
【００３５】
以上のような構成による再生装置５２の作用を図５に基づき説明する。
（ａ）再生装置５２のスイッチを入れてスタートし、タッチパネル操作部３６により、コントローラー３１へ取り込もうとするデータの該当するアドレスを指定する。パッケージヤー３０には、２Ｋ、４Ｋ、８Ｋなどの高画素数の映像とハイレゾ化された音声が多重化されてＭＰＥＧ−ＤＡＳＨで変換されてファイルアップされている。
（ｂ）前記アドレスの設定により、再生装置５２の内部で音声出力フォーマットの設定を処理する。
（ｃ）映像ファイルをパッケージヤー３０からリアルタイムでダウンロードする。再生装置５２のメモリに記憶することはなく、閲覧だけ行い、ファイル自体は残さない。
（ｄ）ＭＰＥＧ−ＤＡＳＨで変換されているデータをコントローラー３１の可逆圧縮化ツールである前記ＭＰＥＧ−４ＡＬＳでデコードし、このコントローラー３１で画面出力の指示と、音声出力の指示を行う。
（ｅ）非同期で音声解析処理を行う。
（ｆ）音声出力部３４で音声を出力し、かつ、映像表示部３５で動画または静止画が表示される。
（ｇ）曲が再生中の場合は、（ｂ）に戻って繰り返す。
【００３６】
同時に、コントローラー３１に取り込まれた音声データから音声ファイル形式出力部３７では、ファイル名が出力し、音源データ表示部４９のファイル名表示部４１に表示される。サンプリングレート出力部３８では、音声データの周波数を解析し、サンプリングレートに変換し、数値データとして例えば「１９２ｋＨｚ」とディジタル表示されるとともに、一見して確認できるように０〜１９２ｋＨｚまでの細かな間隔の棒グラフで第１の棒グラフ表示部４３にアナログ表示される。
【００３７】
コントローラー３１から音声出力部３４側に出力されている再生データは、機器データ出力部３９で再生装置５２の機種名が出力されて音声再生データ表示部５０の音声再生機種名表示部４４に表示される。同時に、第２の数値表示部４５では、再生装置５２の持つ周波数データに基づき再生時のサンプリングレートが出力され、数値データとして例えば「９６ｋＨｚ」とディジタル表示されるとともに、一見して確認できるように０〜９６ｋＨｚまでの細かな間隔の棒グラフで第２の棒グラフ表示部４６にアナログ表示される。
さらに、コントローラー３１から映像表示部３５側に出力されている映像データから映像フォーマット抽出部３２で映像フォーマットが抽出され、映像データ表示部５１の映像ファイル名表示部４７に映像ファイル名が表示され、かつ、総画素数表示部４８に総画素数が表示される。
【００３８】
このような表示とすることで、パッケージヤー３０から取り込まれている音声データが１９２ｋＨｚであるにもかかわらず、再生は、９６ｋＨｚで再生されていることが一見して区別できる。このことは、取り込まれた音声データを使用中の再生装置５２では十分に再生されていないことが一見して理解できる。
また、音源データ表示部４９と音声再生データ表示部５０の表示が一致していれば、この再生装置５２は、音声データを十分生かして再生していることが理解できる。
また、映像データ表示部５１の総画素数表示部４８で総画素数が表示され、高画質の映像であることを確認できる。
【００３９】
本発明の再生装置は、ハイレゾに対応しているので、ハイレゾ音源を、しかもライブストリーミングが可能となり、これまでにない全く新しい音楽の聴き方を体験することが可能となる。ライブ会場などの映像・音声出力部で演奏される迫力ある音楽を動画とともにリアルタイムでライブストリーミング配信することにより、会場に行くことがかなわない場合でも臨場感ある高音質のライブ演奏を別の場所で原音のまま楽しむことができる。
本発明における再生装置は、タブレット端末、スマートホンなどの携帯用音声・映像機器を対象としているが、必ずしも携帯用に限られるものではない。なお、前記再生装置５２は、ストリーミングデータを再生するが、取得した映像データと音声データは、記録できないものとなっている。
【００４０】
課金によって視聴する方法を図３に基づき説明する。
（ａ）エンドユーザーは、課金によって視聴可能なシステムとするため、再生装置５２のタッチパネル操作部３６の操作により、インターネット６７に接続されたチケット発行と認証のためのチケット発行・認証サーバー６６にログインして会員登録をする。より詳しくは、図３の購入フローチャートにおいて、ユーザーは、会員登録すると、ＥＣ（ｅｌｅｃｔｒｏｎｉｃ  ｃｏｍｍｅｒｃｅ）の会員データベース（ＤＭ）に登録されるとともに、仮登録し、ＥＣから仮登録メールが送信され、本登録されて会員ＤＢに登録されて本登録メールが送信される。
本登録され、ログインすると、ユーザ情報が確認され、イベント選択、リスト追加し、カート確認してユーザーカート情報を更新する。
ユーザーがカード情報を入力すると、支払いが実行され、カード情報が確認され、決済が完了し、ユーザー購入更新、イベント購入が記録される。
（ｂ）次に図３の再生フローチャートにおいて、エンドユーザーがポータルサイトに作品一覧をリクエストし、ＡＰＩ（Ａｐｐｌｉｃａｔｉｏｎ  Ｐｒｏｇｒａｍｉｎｇ  Ｉｎｔｅｒｆａｃｅ）から作品一覧が送られてくると、ログインしてログイン認証が得られると、課金済イベントが送られてくる。
エンドユーザーが認証サーバーにＵＲＬリクエストし、ＵＲＬが生成され、配信サーバーからワンタイムＵＲＬが送られる。
エンドユーザーが配信サーバーに再生リクエストすると、作品一覧レスポンスが認証サーバーに送られ、トークン認証され、認証ＯＫレスポンスが配信サーバーに送られると、配信サーバーからエンドユーザーにストリーミング配信される。
【符号の説明】
【００４１】
１０…音声携帯機器本体、１１…表示部、１２…音源出力表示部、１３…再生出力表示部、１４…再生ユニット、１５…コントローラ、１６…機器データメモリ、１７…入力装置、１８…音源ファイル、１９…外部音源データ、２０…ファイル形式出力、２１…サンプリングレート出力、２２…機種データ出力、２３…再生サンプリングレート出力、２４…ファイル名表示部、２５…数値表示部、２６…棒グラフ表示部、２７…再生機種名表示部、２８…数値表示部、２９…棒グラフ表示部、３０…ストリーミングサーバー、３１…コントローラー、３２…映像フォーマット抽出部、３３…音声機器データメモリ、３４…音声出力部、３５…映像表示部、３６…タッチパネル操作部、３７…音声ファイル形式出力部、３８…サンプリングレート出力部、３９…機器データ出力部、４０…再生サンプリング出力部、４１…ファイル名表示部、４２…第１の数値表示部、４３…第１の棒グラフ表示部、４４…音声再生機種名表示部、４５…第２の数値表示部、４６…第２の棒グラフ表示部、４７…映像ファイル名表示部、４８…総画素数表示部、４９…音源データ表示部、５０…音声再生データ表示部、５１…映像データ表示部、５２…再生装置、６０…ライブ会場などの映像・音声出力部、６１…映像信号入力部、６２…音声信号入力部、６３…エンベッター、６４…エンコーダー、６５…パッケージャー、６６…チケット発行・認証サーバー、６７…インターネット。
【図１】
2019201302.tif 000003
【図２】
2019201302.tif 000004
【図３】
2019201302.tif 000005
【図４】
2019201302.tif 000006
【図５】
2019201302.tif 000007
【図６】
2019201302.tif 000008